(57)【要約】      （修正有）【課題】地震で建物に揺れが発生しても巻上ロープが昇降路内の突起物に引っ掛らない昇降機の提供。【解決手段】半径比率が１：２の小滑車１１ａ及び大滑車１１ｂを有する輪軸１１を設け、小滑車１１ａには小滑車用錘１４と引っ掛り防止具１５を釣瓶状に吊り下げる小滑車用ロープ１２をかけ、大滑車１１ｂには大滑車用錘１６とかご用釣合錘８を連結する大滑車用ロープ１３をかける。引っ掛り防止具１５は昇降路２内を上下動するスライド部材１５ａ及びその側面より跳ね出すアーム１５ｂ先端にあって巻上ロープ５を遊挿する振止用環状部１５ｃを備える。引っ掛り防止具１５は常にかご上端と昇降路天井下面までの距離の中間に位置する。【選択図】図２
0003121216.tif 000002
【実用新案登録請求の範囲】
【請求項１】
昇降路内に配設するかご及びかご用釣合錘と、このかご及びかご用釣合錘を巻上機の滑車を介して釣瓶状に吊り下げる巻上ロープを有する昇降機において、半径比率が１：２である小滑車及び大滑車を同一軸に固定する輪軸と、この大滑車にかけ一端を前記かご用釣合錘に連結する輪軸回転用ロープと、この輪軸回転用ロープの他端に連結して昇降路内を上下動する大滑車用錘と、前記小滑車にかける小滑車用ロープの一端に連結して昇降路内を上下動する小滑車用錘と、この小滑車用ロープの他端に連結し前記かごの上端と前記昇降路天井部下面までの距離の中間位置をガイドに沿って上下動するスライド部材と、このスライド部材より跳ね出すアームの先端にあって前記巻上ロープを遊挿する振止用環状部を備えることを特徴とする昇降機。
【考案の詳細な説明】
【技術分野】
【０００１】
本考案は、地震等の発生に伴う建物の揺れでエレベータかごの昇降用ケーブルである巻上ロープが大きく揺れて昇降路内の突起物に引っ掛ることを防止するための引掛かり防止具を備えた昇降機に関する。
【背景技術】
【０００２】
地震時あるいは強風時に建物が揺れた際には、エレベータかごの昇降用ケーブルである巻上ロープが大きく揺れて昇降路内の突起物に引掛かり、停止したエレベータ内に人が閉じ込められる恐れがある。
【０００３】
地震や強風の発生時に一定値以上の建物の揺れをセンサーが感知した場合には、昇降機を最寄階に停止させると共に、その昇降機の停止を検出して監視センター等に連絡する遠隔監視システムを備えるエレベータが普及しているが、このような建物の揺れに伴って昇降機を停止させた場合には、技術者がその建物に赴いて点検作業を実施し、異常が発生していない場合にのみ管制運転装置を復旧（異常通報解除）させている。
【０００４】
エレベータの昇降路内には、かごの昇降に伴って移動する各種のロープやテールコード、その他これに類するものが配置されており、地震時には建物の振動の影響を受けて、これらに大きな振動や揺れを生ずることがある。
【０００５】
この振動あるいは揺れが大きくなると、それらのものが昇降路内の梁やガイドその他の突出物に接触したり、更にはこれらが引っ掛って昇降不能状態となるケースも生ずる。
【０００６】
従って、昇降機停止時の点検作業は主に、これらのロープ類が昇降路内の突出物に引っ掛かっていないかを確認するものであった。特に巻上ロープは、その揺れが大きくなりがちで、引っ掛りやすいため各階毎に目視確認を行う必要があり、その点検作業は煩雑で時間を要するものであった。
【０００７】
このため昇降機停止時の点検作業を簡易にし迅速な復旧作業が行なえるよう、例えば特許文献１に記載されるようなエレベータ昇降機のケーブル監視システムが提案されていた。
【特許文献１】特開２００３−３４１９５４号公報
【０００８】
このケーブル監視システムは、巻上ロープの上方に位置する検知体を、昇降機停止時に巻上ロープに沿って案内落下させ、下方に設置する検知器でその接触の有無を確認することで巻上ロープの引っ掛りの有無を確認するものであった。
【考案の開示】
【考案が解決しようとする課題】
【０００９】
しかし、従来のケーブル監視システムでは巻上ロープの揺れは制限できず、当然引っ掛かりを防止できるものではなかった。首都圏で最大震度５強を記録した地震時には、多数のエレベータが停止し、しかも巻上ロープの引っ掛りで停止したエレベータ内に人が閉じ込められるケースが続発したが、巻上ロープの引っ掛りを防ぐ具体的な構成は未だ提示されていない。
【００１０】
この考案は、従来の昇降機が有する上記の問題点を解消すべくなされたものであり、地震等で建物に揺れが発生しても巻上ロープが昇降路内の突起物に引っ掛らない昇降機を提供することを目的としている。
【課題を解決するための手段】
【００１１】
上記課題を解決するため、この考案の昇降機は、昇降路内に配設するかご及びかご用釣合錘と、このかご及びかご用釣合錘を巻上機の滑車を介して釣瓶状に吊り下げる巻上ロープを有する昇降機において、半径比率が１：２である小滑車及び大滑車を同一軸に固定する輪軸と、この大滑車にかけ一端を前記かご用釣合錘に連結する輪軸回転用ロープと、この輪軸回転用ロープの他端に連結して昇降路内を上下動する大滑車用錘と、前記小滑車にかける小滑車用ロープの一端に連結して昇降路内を上下動する小滑車用錘と、この小滑車用ロープの他端に連結し前記かごの上端と前記昇降路天井部下面までの距離の中間位置をガイドに沿って上下動するスライド部材と、このスライド部材より跳ね出すアームの先端にあって前記巻上ロープを遊挿する振止用環状部を備えることを特徴とものである。
【００１２】
輪軸は同一軸に取付けた大小の滑車で、かごの上方、例えばエレベータ機械室等に配置する。小滑車と大滑車の半径比率を１：２とすることで、かご用釣合錘から大滑車にかける輪軸回転用ロープの運行速度を小滑車にかける小滑車用ロープにおいて１／２の速度に減速する。
【００１３】
輪軸回転用ロープは大滑車用錘の重量で輪軸を回転し得る張力を得ている。即ち、かご用釣合錘が上下動するとこれに伴い輪軸回転用ロープが上下動し、この時輪軸を左右に回転せしめる。
【００１４】
小滑車用ロープは小滑車用錘と引っ掛り防止具であるスライド部材及びアームを小滑車を介して釣瓶状に吊り下げており、引っ掛り防止具の位置はかごの上端と昇降路天井部下面までの距離の中間とする。
【００１５】
巻上ロープの移動速度に対し、小滑車用ロープは常に１／２の速度で追随するので、振止用環状部は常に巻上ロープの中間に位置する。このため、地震等で巻上ロープに揺れが発生しても、その振幅は大きく低減される。
【００１６】
振止用環状部は、巻上ロープの通常運転時の振幅には接触しない程度の大きさが望ましい。引っ掛り防止具の一部であるスライド部材を案内するガイドは昇降路の壁面に取り付け、小滑車用錘及び大滑車用錘も壁面に取り付けるガイドに沿って上下動させる。
【考案の効果】
【００１７】
この考案の昇降機は、半径比率が１：２である輪軸を設け、これにかけるロープによってかごの上端と昇降路天井部下面までの距離の中間位置に引っ掛り防止具のスライド部材及びアームを配置するので、巻上ロープの揺れを大きく制限し、昇降路内の突起物に引っ掛るのを防止できる。
【考案を実施するための最良の形態】
【００１８】
次にこの考案の実施の形態を添付図面に基づき詳細に説明する。図１は昇降路内のガイドレール配置図、図２は図１のII−II断面を示す断面図である。昇降機１は、昇降路２内に収容するエレベータかご３の支持枠４に巻上ロープ５の一端を係止し、昇降路２の上方に設けるエレベータ機械室６内の巻上機７の滑車７ａを介してかご用釣合錘８を釣瓶状に吊り下げている。
【００１９】
エレベータかご３は、昇降路内面２ａに取り付けるかご用ガイドレール９に支持枠４より突設する案内部４ａを摺接しながら上下動する。この時、かご用釣合錘８も同一速度で反対方向に釣合錘用ガイドレール１０内を移動する。
【００２０】
エレベータ機械室６には、半径比率が１：２である小滑車１１ａ及び大滑車１１ｂを同一軸に固定する輪軸１１を設け、小滑車１１ａには小滑車用ロープ１２、大滑車１１ｂには大滑車用ロープ１３を夫々かける。
【００２１】
小滑車用ロープ１２は、一端に小滑車用錘１４を、他端に引っ掛り防止具１５を連結し、これらを釣瓶状に吊り下げている。又大滑車用ロープ１３は、一端を大滑車用錘１６に、他端をかご用釣合錘８に連結しており、かご用釣合錘８の上下動に伴い輪軸１１を左右に回転せしめる。即ち大滑車用ロープ１３は大滑車用錘１６の重量で輪軸１１を回転し得る張力を得ており輪軸回転用ロープとしての作用を有する。
【００２２】
小滑車用錘１４、引っ掛り防止具１５及び大滑車用錘１６は、夫々昇降路内面２ａに設ける小滑車用錘ガイドレール１７、引っ掛り防止具ガイドレール１８及び大滑車用錘ガイドレール１９に沿って昇降路２内を上下動する。
【００２３】
引っ掛り防止具１５は、引っ掛り防止具ガイドレール１８に摺接するスライド部材１５ａと、その側面より跳ね出すアーム１５ｂと、アーム先端にあって巻上ロープ５を遊挿する振止用環状部１５ｃを備える。
【００２４】
引っ掛り防止具１５はエレベータかご３の上端と昇降路２の天井２０下面までの距離Ｌに対し、中間位置（Ｌ／２）にあるよう小滑車用ロープ１２の長さを設定する。
【００２５】
輪軸１１の小滑車１１ａと大滑車１１ｂの半径比率を１：２とすることで、大滑車用ロープ１３の運行速度を小滑車用ロープ１２において１／２の速度に減速し、これにより振止用環状部１５ｃは常に巻上ロープ５の中間に位置することになる。
【００２６】
このため、地震等で巻上ロープ５に揺れが発生しても、その振幅は大きく低減され、昇降路２内の突起物に引っ掛る恐れがなくなる。
【図面の簡単な説明】
【００２７】
【図１】昇降路内のガイドレール配置図である。
【図２】図１のII−II断面を示す断面図である。
【符号の説明】
【００２８】
１  昇降機
２  昇降路
３  エレベータかご
５  巻上ロープ
８  かご用釣合錘
１１  輪軸
１１ａ  小滑車
１１ｂ  大滑車
１２  小滑車用ロープ
１３  大滑車用ロープ
１４  小滑車用錘
１５  引っ掛り防止具
１５ａ  スライド部材
１５ｂ  アーム
１５ｃ  振止用環状部
【図１】
0003121216.tif 000003
【図２】
0003121216.tif 000004